(57)【要約】      （修正有）【解決手段】被写界の光学像は、撮像装置１６によって捉えられる。撮像装置１６の焦点を切り換える操作は、操作リング２２によって受け付けられる。トーションばね１８は、コイル部１８ａと、上方に屈曲する屈曲部１８ｆが形成されたアーム部１８ｂを有する。撮像装置１６は、受光ユニットに螺入されたレンズユニットを有する。操作リング２２は、係合部２２ｉと凸状部２２ｈとを有する。係合部２２ｉは、レンズユニットと係合し、凸状部２２ｈは、アーム部１８ｂを押圧しつつアーム部１８ｂの長さ方向に移動する。屈曲部１８ｆの開放端側における角度は、屈曲部１８ｆのコイル部１８ａ側における角度よりも小さい。【効果】操作リングの操作方向による節度感の相違が抑制される。【選択図】図１
2007316279.tif 000002
【特許請求の範囲】
【請求項１】
特定軸に沿ってベース部材に螺入される螺入部材と、
外力に従って前記特定軸の回り方向に変位する変位部材と、
前記螺入部材の近傍に固定されるコイル部、および前記特定軸の回り方向に沿って前記コイル部から延出するアーム部を有するトーションばねとを備え、
前記変位部材は、前記螺入部材と係合する係合部と、前記係合部と一体化して前記アーム部に沿う所定長さ範囲を移動する凸状部とを有し、
前記アーム部は前記凸状部の移動を妨げるべく前記所定長さ範囲に対応して前記凸状部側に屈曲するアーチ状の屈曲部を有し、
前記屈曲部は、前記コイル部側において第１角度を有する一方、開放端側において前記第１角度よりも小さい第２角度を有する、状態切換機構。
【請求項２】
前記螺入部材は、前記特定軸の回り方向に螺旋状に延びる溝を有する第１ねじと、前記光学像を集束させるレンズとを含み、前記特定軸は前記レンズの光軸に相当する、請求項１記載の状態切換機構。
【請求項３】
前記ベース部材は、前記第１ねじと螺合する第２ねじと、前記レンズによって集束された光学像を受ける受光素子とを含む、請求項２記載の状態切換機構。
【請求項４】
前記第１ねじおよび前記第２ねじはそれぞれ雄ねじおよび雌ねじであり、
前記受光素子は前記第２ねじを形成する孔を通して前記光学像を受ける、請求項３記載の状態切換機構。
【請求項５】
前記螺入部材は前記特定軸の回り方向と交差して延びるレバーをさらに含み、
前記係合部は前記特定軸の回り方向において前記レバーを挟持する挟持部を有する、請求項１ないし４のいずれかに記載の状態切換機構。
【請求項６】
前記変位部材を収納する収納部を表側に有し、前記螺入部材および前記トーションばねを保護するケースをさらに備える、請求項１ないし５のいずれかに記載の状態切換機構。
【請求項７】
前記収納部は前記係合部および前記凸状部を裏側に貫通させる孔を有する、請求項６記載の状態切換機構。
【発明の詳細な説明】
【技術分野】
【０００１】
この発明は、状態切換機構に関し、特にたとえばカメラ装置やカメラ付携帯通信端末に適用され、特定軸に沿ってベース部材に螺入される螺入部材を特定軸の回り方向に回転させることで、ベース部材と螺入部材との螺合状態を切り換える、状態切換機構に関する。
【背景技術】
【０００２】
従来のこの種の機構の一例が、特許文献１に開示されている。この従来技術によれば、レンズが取り付けられたマクロ繰出し環の外周に雄ねじが形成される一方、ホルダの内周に雌ねじが形成される。マクロ繰出し環は、雄ねじと雌ねじとの螺合によってホルダに装着される。
【０００３】
キャビネットのリング収納部には、操作リングが収納される。マクロ繰出し環は、レンズ回転レバーを介して、この操作リングと連結される。操作リングには外方に突出する爪が設けられ、リング収納部の内壁には突起が形成される。
【０００４】
したがって、操作リングつまりマクロ繰出し環を回転させると、レンズが上下するとともに、爪が突起に接触する。これによって、撮影モードが通常撮影モードと接写撮影モードとの間で切り換えられ、モード切り換え時に節度感（クリック感）が生じる。
【特許文献１】特開２００４−１６３８３０号公報［G02B 7/105, 7/08, G03B 3/02, 13/32, 17/02］
【発明の開示】
【発明が解決しようとする課題】
【０００５】
しかし、マクロ繰出し環を回転させるために必要な外力が回転方向によって異なる場合、従来技術では、モード切り換え時に生じる節度感が相違する。このような節度感の相違は、操作者に違和感を覚えさせる。
【０００６】
それゆえに、この発明の主たる目的は、切り換え方向による節度感の相違を抑制することができる、状態切換機構を提供することである。
【課題を解決するための手段】
【０００７】
請求項１の発明に従う状態切換機構(10：実施例で相当する参照符号。以下同じ)は、特定軸(AX)に沿ってベース部材(16b)に螺入される螺入部材(16a, 16c)と、外力に従って特定軸(AX)の回り方向に変位する変位部材(22)と、螺入部材(16a, 16c)の近傍に固定されるコイル部(18a)、および特定軸(AX)の回り方向に沿ってコイル部(18a)から延出するアーム部(18b)を有するトーションばね(18)とを備え、変位部材(22)は、螺入部材(16a, 16c)と係合する係合部(22i)と、係合部(22i)と一体化してアーム部(18b)に沿う所定長さ範囲(L2)を移動する凸状部(22h)とを有し、アーム部(18b)は凸状部(22h)の移動を妨げるべく所定長さ範囲(L2)に対応して凸状部(22h)側に屈曲するアーチ状の屈曲部(18f)を有し、屈曲部(18f)は、コイル部(18a)側において第１角度を有する一方、開放端側において第１角度よりも小さい第２角度を有する。
【０００８】
螺入部材(16a, 16c)は、特定軸(AX)に沿ってベース部材(16b)に螺入される。変位部材(22)は、外力に従って特定軸(AX)の回り方向に変位する。トーションばね(18)は、コイル部(18a)およびアーム部(18b)を有する。コイル部(18a)は螺入部材(16a, 16c)の近傍に固定され、アーム部部(18b)は特定軸(AX)の回り方向に沿ってコイル部(18a)から延出する。
【０００９】
変位部材(22)は、係合部(22i)と凸状部(22h)とを有する。係合部(22i)は、螺入部材(16a, 16c)と係合し、凸状部(22h)は、係合部(22i)と一体化してアーム部(18b)に沿う所定長さ範囲(L2)を移動する。アーム部(18b)はアーチ状の屈曲部(18f)を有する。この屈曲部(18f)は、凸状部(22h)の移動を妨げるべく所定長さ範囲(L2)に対応して凸状部(22h)側に屈曲する。屈曲部(18f)はまた、コイル部(18a)側において第１角度を有する一方、開放端側において第１角度よりも小さい第２角度を有する。
【００１０】
このように、螺入部材(16a, 16c)は特定軸(AX)に沿ってベース部材(16b)に螺入され、変位部材(22)の係合部(22i)は螺入部材(16a, 16c)と係合する。したがって、変位部材(22)が外力によって特定軸(AX)の回り方向に変位すると、螺入部材(16a, 16c)とベース部材(16b)との螺合状態が変化する。
【００１１】
また、凸状部(22h)は、係合部(22i)と一体化してアーム部(18b)の長さ方向に沿う所定長さ範囲(L2)を移動する一方、アーム部(18b)のアーチ状の屈曲部(18f)は、凸状部(22h)の移動を妨げるべく所定長さ範囲(L2)に対応して凸状部(22h)側に屈曲する。したがって、凸状部(22h)を所定長さ範囲(L2)の両端の間で変位させるときに節度感が発生する。
【００１２】
さらに、コイル部(18a)は螺入部材(16a, 16c)の近傍に固定され、アーム部(18b)は特定軸(AX)の回り方向に沿ってコイル部(18a)から延出し、開放端側における屈曲部(18f)の角度はコイル部(18a)側における屈曲部(18f)の角度よりも小さい。したがって、凸状部(22h)の変位方向による節度感の相違が抑制される。
【００１３】
請求項２の発明に従う状態切換機構は、請求項１に従属し、螺入部材(16a, 16c)は、特定軸(AX)の回り方向に螺旋状に延びる溝を有する第１ねじ(SC1)と、光学像を集束させるレンズ(16e)とを含み、特定軸(AX)はレンズの光軸に相当する。
【００１４】
請求項３の発明に従う状態切換機構は、請求項２に従属し、ベース部材(16b)は、第１ねじ(SC1)と螺合する第２ねじ(SC2)と、レンズ(16e)によって集束された光学像を受ける受光素子(16m)とを含む。
【００１５】
請求項４の発明に従う状態切換機構は、請求項３に従属し、第１ねじ(SC1)および第２ねじ(SC2)はそれぞれ雄ねじおよび雌ねじであり、受光素子(16m)は第２ねじを形成する孔(16n)を通して光学像を受ける。
【００１６】
請求項５の発明に従う状態切換機構は、請求項１ないし４のいずれかに従属し、螺入部材(16a, 16c)は特定軸(AX)の回り方向と交差して延びるレバー(16f)をさらに含み、係合部(22i)は特定軸(AX)の回り方向においてレバー(16f)を挟持する挟持部(22f, 22g)を有する。
【００１７】
請求項６の発明に従う状態切換機構は、請求項１ないし５のいずれかに従属し、変位部材を収納する収納部(20a)を表側に有し、螺入部材(16a, 16c)およびトーションばね(18)を保護するケース(20)をさらに備える。
【００１８】
請求項７の発明に従う状態切換機構は、請求項６に従属し、収納部(20a)は係合部(22i)および凸状部(22h)を裏側に貫通させる孔(20c, 20d)を有する。
【発明の効果】
【００１９】
この発明によれば、コイル部(18a)は螺入部材(16a, 16c)の近傍に固定され、アーム部(18b)は特定軸(AX)の回り方向に沿ってコイル部(18a)から延出し、開放端側における屈曲部(18f)の角度はコイル部(18a)側における屈曲部(18f)の角度よりも小さい。したがって、凸状部(22h)の変位方向（操作方向）による節度感の相違が抑制される。
【００２０】
この発明の上述の目的，その他の目的，特徴および利点は、図面を参照して行う以下の実施例の詳細な説明から一層明らかとなろう。
【発明を実施するための最良の形態】
【００２１】
この実施例のカメラ付き携帯通信端末１０は、折り畳み型を採用する。このような携帯通信端末１０を形成する上側筐体の分解状態を、図１に示す。上側筐体は、下側ケース１２，ホルダ部材１４，撮像装置１６，トーションばね１８，上側ケース２０，操作リング２２，およびリングカバー２４を備える。
【００２２】
ホルダ部材１４は、撮像装置１６およびトーションばね１８を保持するべく、下側ケース１２の長さ方向一方端近傍に載置される。操作リング２２は、上側ケース２０の長さ方向一方端に形成されたリング収納部２０ａに上側から装着される。リングカバー２４は、リング収納部２０ａに装着された操作リング２２の離脱を防止するべく、上側ケース２０の表面に装着される。被写界の光学像は、光軸ＡＸに沿って撮像装置１６に入射される。
【００２３】
図２（Ａ）および図２（Ｂ）を参照して、撮像装置１６は、レンズユニット１６ａ，受光ユニット１６ｂおよび切換リング１６ｃによって構成される。
【００２４】
レンズユニット１６ａは、高さ方向（光軸ＡＸに沿う方向）に直交して切り出された断面が真円をなす円筒状のレンズホルダ１６ｄを備える。レンズホルダ１６ｄの高さ方向中央から下側は、螺旋状の雄ねじＳＣ１が形成された外周面を有する。雄ねじＳＣ１を形成する溝は、光軸ＡＸ回り方向に螺旋状に延びる。被写界の光学像を集束させるレンズ１６ｅは、このようなレンズホルダ１６ｄの筒内に装着される。レンズ１６ｅの一方主面は被写界に面し、レンズ１６ｅの他方主面は後述する受光素子１６ｍに面する。レンズユニット１６ａを上方から眺めると、レンズ１６ｅの一方主面および他方主面の各々の中心は、レンズホルダ１６ｄを高さ方向に直交して切り出した断面の中心と一致する。このような複数の中心を結んだ直線は、光軸ＡＸと重なる。
【００２５】
受光ユニット１６ｂは、受光素子１６ｍを保護するケース１６ｋを備える。ケース１６ｋの上面中央には、真円状の貫通孔１６ｎが形成される。ケース１６ｋを上方から眺めると、貫通孔１６ｎの中心は受光素子１６ｍの中心と一致する。これらの中心を結んだ直線もまた、光軸ＡＸと重なる。ケース１６ｋの上面にはまた、貫通孔１６ｎに近接して２つの凸状部１６ｉおよび１６ｊが形成される。この凸状部１６ｉおよび１６ｊの機能については後述する。
【００２６】
ケース１６ｋの上面の厚みは、レンズホルダ１６ｄの高さのほぼ１／２である。また、貫通孔１６ｎの内径は、レンズホルダ１６ｄの高さ方向中央から下側の部分の外径とほぼ一致する。さらに、貫通孔１６ｎの内周面には、螺旋状の雌ねじＳＣ２が形成される。雌ねじＳＣ２を形成する溝も、光軸ＡＸ回り方向に螺旋状に延びる。
【００２７】
したがって、レンズホルダ１６ｄの雄ねじＳＣ１を光軸ＡＸに沿ってケース１６ｋの雌ねじＳＣ２に螺入することで、レンズユニット１６ａおよび受光ユニット１６ｂが螺合される。受光ユニット１６ｂに装着されたレンズユニット１６ａを上方から眺めたとき、レンズ１６ｅの一方主面および他方主面の各々の中心は、受光素子１６ｍの中心と一致する。
【００２８】
切換リング１６ｃは、真円状の貫通孔１６ｉを有する。切換リング１６ｃの外周面には、光軸ＡＸ回り方向に直交して外方に突出するレバー１６ｆと、貫通孔１６ｉの中心に向かって凹む２つの凹状部１６ｇおよび１６ｈとが設けられる。切換リング１６ｃは、レンズユニット１６ａが受光ユニット１６ｂに装着された後に、レンズホルダ１６ｄの高さ方向上端に装着（固定ないし一体化）される。こうして、撮像装置１６が完成する。完成した撮像装置１６を上方から眺めたとき、切換リング１６ｃを形成する貫通孔１６ｉの中心は光軸ＡＸと重なる。
【００２９】
図３（Ａ）および図３（Ｂ）を参照して、ケース１６ｋの上面に形成された凸状部１６ｉおよび１６ｊは、切換リング１６ｃの外周面に形成された凹状部１６ｇおよび１６ｈとそれぞれ係合する。切換リング１６ｃを反時計回り方向に回転させると、凹状部１６ｈの側面１６ｑが凸状部１６ｊに接触する。また、切換リング１６ｃを時計回り方向に回転させると、凹状部１６ｇの側面１６ｐが凸状部１６ｉに接触する。これによって、切換リング１６ｃが光軸ＡＸの回りを回転できる角度が“θ１”に制限される。
【００３０】
レンズユニット１６ａは雄ねじＳＣ１および雌ねじＳＣ２の螺合によって受光ユニット１６ｂに装着され、切換リング１６ｃはレンズユニット１６ａと一体化される。このため、切換リング１６ｃを光軸ＡＸ回り方向に回動させることで、レンズユニット１６ａと受光ユニット１６ｂとの螺合状態が変化し、これによってレンズ１６ｅから受光素子１６ｍまでの距離つまり焦点が切り換えられる。なお、切換リング１６ｃが図３（Ａ）に示す状態にあるとき、撮影モードは通常撮影モードに設定される。また、切換リング１６ｃが図３（Ｂ）に示す状態にあるとき、撮影モードは接写撮影モードに設定される。
【００３１】
図４（Ａ）および図４（Ｂ）を参照して、トーションばね１８は、コイル部１８ａ，第１アーム部１８ｂおよび第２アーム部１８ｃを有する。第１アーム部１８ｂはコイル部１８ａの一方端から延出し、第２アーム部１８ｃはコイル部１８ａの他方端から延出する。延出方向は、コイル部１８ａの長さ方向に直交する方向であり、第１アーム部１８ｂおよび第２アーム部１８ｄの間で互いに一致する。
【００３２】
第１アーム部１８ｂは、第２アーム部１８ｃよりも長い。第１アーム部１８ｂは、第１アーム部１８ｂの長さ方向およびコイル部１８ａの長さ方向の各々に直交するように外側（上側）に屈曲するフック１８ｄを開放端側に有する。さらに、第２アーム部１８ｃは、コイル部１８ａの長さ方向に沿うように内側に屈曲するフック１８ｅを開放端側に有する。
【００３３】
第１アーム部１８ｂの長さ方向中央には、フック１８ｄの屈曲方向と同じ方向に膨らむアーチ状の屈曲部１８ｆが形成される。図４（Ｂ）から分かるように、この屈曲部１８ｆは、コイル部１８ａ側端部において角度θ２を有する一方、フック１８ｄ側（開放端側）端部において角度θ２よりも小さい角度θ３を有する。換言すれば、コイル部１８ａ側における屈曲部１８ｆの曲率は、フック１８ｄ側における屈曲部１８ｆの曲率よりも大きい。
【００３４】
図５を参照して、ホルダ部材１４は、撮像装置１６を収納するための第１収納部１４ａと、トーションばね１８を収納するための第２収納部１４ｂとを有する。
【００３５】
第１収納部１４ａの容積は、撮像装置１６を形成するケース１６ｋの体積とほぼ一致する。第１収納部１４ａは、ケース１６ｋの上面のサイズと同じサイズを有する開口ＯＰ１を下面に有し、ケース１６ｋの上面のサイズよりも小さいサイズを有する開口ＯＰ２を上面に有し、そして開口ＯＰ２と連通する開口ＯＰ３を側面の１つに有する。
【００３６】
第２収納部１４ｂは、係止片１４ｃおよび１４ｄと押さえ１４ｅとを有する。係止片１４ｃはフック１８ｄを係止するべく設けられ、係止片１４ｄはフック１８ｅを係止するべく設けられ、そして押さえ１４ｅは第１アーム部１８ｂのコイル部１８ａ側端部を押さえるべく設けられる。
【００３７】
図６を参照して、下側ケース１２の長さ方向一方端には、ホルダ部材１４を載置するためのトレー部１２ａが形成される。また、下側ケース１２の中央には、図示しないＬＣＤモニタの画面を露出させるための矩形状の貫通孔１２ｂが形成される。
【００３８】
図７（Ａ）および図７（Ｂ）に示すように、撮像装置１６は、ホルダ部材１４の下方から第１収納部１４ａに収納される。撮像装置１６の上部は、開口ＯＰ２およびＯＰ３を通して露出する。トーションばね１８は、撮像装置ホルダ１４の側方から第２収納部１４ｂに収納される。フック１８ｄおよび１８ｅは、係止片１４ｃおよび１４ｄによってそれぞれ係止される。第１アーム部１８ｂのコイル部１８ａ側端部は、押さえ１４ｅによって押さえられる。このとき、コイル部１８ａはその長さ方向が光軸ＡＸ回り方向に交差（直交）する状態で固定され、アーム部１８ｂは光軸ＡＸ回り方向に沿って延びる。アーム部１８ｂに形成された屈曲部１８ｆは、上方に膨らむ。
【００３９】
こうして撮像装置１６およびトーションばね１８が装着された後、ホルダ部材１４は、下側ケース１２のトレー部１２ａに図８に示す要領で載置される。撮像装置１６およびトーションばね１８は、上方に露出する。
【００４０】
図９（Ａ）〜図９（Ｃ）を参照して、操作リング２２は、真円状の貫通孔２２ａが形成されたリング本体２２ｂを有する。リング本体２２ｂの上面の或る位置には切換操作用の爪２２ｃが設けられる。リング本体２２ｂの下面には、フランジ２２ｄが一体成形される。フランジ２２ｄの外側面の或る位置には、係合部２２ｉが一体成形される。
【００４１】
この係合部２２ｉは、フランジ２２ｄの厚みと同じ厚みを有し、かつフランジ２２ｄの上面および下面と平行に突出する舌片２２ｅと、リング本体２２ｂの周方向に並んで舌片２２ｅの下面から下方向に突出する２つの挟持部２２ｆおよび２２ｇとによって形成される。挟持部２２ｆおよび２２ｇの間隔は、図２（Ａ）または図２（Ｂ）に示すレバー１６ｆの幅に相当する。フランジ２２ｄの下面の或る位置には、凸状部２２ｈが形成される。この凸状部２２ｈは、下に向かうにつれて外方に広がる。
【００４２】
図９（Ｃ）から分かるように、舌片２２ｅの周方向一方端と凸状部２２ｈの周方向一方端とがなす角度は“θ４”に相当し、舌片２２ｅの周方向他方端と凸状部２２ｈの周方向他方端とがなす角度は“θ５”に相当する。
【００４３】
図１および図１０を参照して、上側ケース２０の長さ方向一方端近傍には、真円状の透明窓Ｗ１が形成される。透明窓Ｗ１の大きさは、操作リング２２を形成する貫通孔２２ａの大きさとほぼ一致する。上述したリング収納部２０ａは、このような透明窓Ｗ１の周辺に形成され、フランジ２２ｄと嵌合する真円状の溝２０ｂと、挟持部２２ｆおよび２２ｇを裏側に挿通させるための扇状の貫通孔２０ｃと、凸状部２２ｈを裏側に挿通させるための扇状の貫通孔２０ｄとを有する。
【００４４】
図１０から分かるように、貫通孔２０ｃの周方向一方端と貫通孔２０ｄの周方向一方端とがなす角度は“θ６”に相当し、貫通孔２０ｃの周方向他方端と貫通孔２０ｄの周方向他方端とがなす角度は“θ７”に相当する。角度θ６は上述の角度θ４に等しく、角度θ７は上述の角度θ５に等しい。また、貫通孔２０ｃの周方向の長さＬ１は図３（Ａ）または図３（Ｂ）に示す角度θ１に相当する距離よりも長く、貫通孔２０ｄの周方向の長さＬ２は図４（Ａ）または図４（Ｂ）に示す屈曲部１８ｆの長さよりも長い。
【００４５】
図１から分かるように、透明窓Ｗ１は、上側ケース２０を下側ケース１２に装着したときに透明窓Ｗ１の中心が光軸ＡＸと重なる位置に形成される。また、貫通孔２０ｃは、上側ケース２０を下側ケース１２に装着したときに切換リング１６ｃを形成するレバー１６ｆを上方から覗くことができる位置に形成される。さらに、貫通孔２０ｄは、上側ケース２０を下側ケース１２に装着したときにトーションばね１８を形成する屈曲部１８ｆを上方から覗くことができる位置に形成される。
【００４６】
リングカバー２４は、真円状の貫通孔２４ａを有する。貫通孔２４ａの内径は、操作リング２２を形成するリング本体２２ｂの外径とほぼ一致する。貫通孔２４ａは、リングカバー２４を上側ケース２０に装着したときに貫通孔２４ａの中心が光軸ＡＸと重ねる位置に形成される。
【００４７】
上側ケース２０を下側ケース１２に装着し、操作リング２２をリング収納部２０ａに収納すると、切換リング１６ｃのレバー１６ｆが操作リング２２の挟持部２２ｆおよび２２ｇによって挟持され、操作リング２２の凸状部２２ｈがトーションばね１８の屈曲部１８ｆに接触する。操作リング２２がリング収納部２０ａに収納された状態でリングカバー２４を上側ケース２０に装着されると、リング本体２２ｂが貫通孔２４ａを通して上方に露出する一方、フランジ２２ｄがリングカバー２４によって覆われる。これによって、操作リング２２の離脱が防止される。
【００４８】
こうして上側ケース２０に装着された操作リング２２を光軸ＡＸ回り方向に摺動させると、挟持部２２ｆおよび２２ｇと係合するレバー１６ｆが図３（Ａ）に示す位置と図３（Ｂ）に示す位置との間で変位し、凸状部２２ｈが図１１（Ａ）に示す位置と図１１（Ｃ）に示す位置との間で変位する。
【００４９】
レバー１６ｆを図３（Ａ）に示す位置から図３（Ｂ）に示す位置に移動させるとき、凸状部２２ｈの尖端は、屈曲部１８ｆの上面を開放端側端部からコイル部１８ａ側端部に向かって摺動する。このとき、図１１（Ａ）に示すように、摺動抵抗Ｒ１とばね反力Ｐ１とによって操作加重ＷＴ１が発生する。第１アーム部１８ｂは、凸状部２２ｈの摺動に伴って図１１（Ｂ）に示すように沈下する。レバー１６ｆが図３（Ｂ）に示す位置に到達すると、凸状部２２ｈもまた屈曲部１８ｆのコイル部１８ａ側端部に到達する。第１アーム部１８ｂは、図１１（Ｃ）に示すように元の姿勢に復帰する。
【００５０】
レバー１６ｆを図３（Ｂ）に示す位置から図３（Ａ）に示す位置に移動させるとき、凸状部２２ｈの尖端は、屈曲部１８ｆの上面をコイル部１８ａ側端部から開放端側端部に向かって摺動する。このとき、図１１（Ｃ）に示すように、摺動抵抗Ｒ２とばね反力Ｐ２とによって操作加重ＷＴ２が発生する。第１アーム部１８ｂは、凸状部２２ｈの摺動に伴って図１１（Ｂ）に示すように沈下する。レバー１６ｆが図３（Ａ）に示す位置に到達すると、凸状部２２ｈもまた屈曲部１８ｆの開放端側端部に到達する。第１アーム部１８ｂは、図１１（Ａ）に示すように元の姿勢に復帰する。
【００５１】
図４（Ｂ）に示すように、開放端側端部における屈曲部１８ｆの角度θ３は、コイル部１８ａ側端部における屈曲部１８ｆの角度θ２よりも小さい。つまり、開放端側における屈曲部１８ｆの曲率は、コイル部１８ａ側における屈曲部１８ｆの曲率よりも小さい。これによって、操作加重ＷＴ１は、操作加重ＷＴ２と一致する。
【００５２】
以上の説明から分かるように、被写界の光学像は、撮像装置１６によって捉えられる。焦点を切り換えるための操作リング２２は、外力に従って光軸ＡＸ回り方向に変位する。トーションばね１８は、コイル部１８ａおよび第１アーム部１８ｂを有する。コイル部１８ａはその長さ方向が光軸ＡＸ回り方向と交差（直交）する状態で固定され、第１アーム部１８ｂは光軸ＡＸ回り方向に沿って延出する。
【００５３】
撮像装置１６は、レンズユニット１６ａと受光ユニット１６ｂとを含む。レンズユニット１６ａは、光軸ＡＸ回り方向に螺旋状に延びる溝を有する雄ねじＳＣ１、および光学像を集束させるレンズ１６ｅを含む。受光ユニット１６ｂは、雄ねじＳＣ１と螺合する雌ねじＳＣ２、およびレンズ１６ｅによって集束された光学像を雌ねじＳＣ２を形成する貫通孔１６ｎを通して受ける受光素子１６ｍを含む。
【００５４】
操作リング２２は、係合部２２ｉと凸状部２２ｈとを有する。係合部２２ｉは、レンズユニット１６ａと係合する。凸状部２２ｈは、係合部２２ｉと一体化し、第１アーム部１８ｂの長さ方向に沿って割り当てられた長さ範囲Ｌ２を移動する。
【００５５】
第１アーム部１８ｂは、凸状部２２ｈの移動を妨げるべく長さ範囲Ｌ２に対応して凸状部２２ｈ側に屈曲するアーチ状の屈曲部１８ｆを有する。屈曲部１８ｆは、コイル部１８ａ側において角度θ２を有する一方、開放端側において角度θ２よりも小さい角度θ３を有する。
【００５６】
このように、レンズユニット１６ａの雄ねじＳＣ１は受光ユニット１６ｂの雌ねじＳＣ２と螺合し、操作リング２２の係合部２２ｉはレンズユニット１６ａと係合する。したがって、操作リング２２を操作することで焦点が切り換えられる。
【００５７】
また、凸状部２２ｈは、係合部２２ｉと一体化し、第１アーム部１８ｂの長さ方向に沿って割り当てられた長さ範囲Ｌ２を移動する一方、第１アーム部１８ｂのアーチ状の屈曲部１８ｆは、凸状部２２ｈの移動を妨げるべく長さ範囲Ｌ２に対応して凸状部２２ｈ側に屈曲する。したがって、凸状部２２ｈを長さ範囲Ｌ２の両端の間で変位させるときに節度感が発生する。
【００５８】
さらに、コイル部１８ａは長さ方向が光軸ＡＸ回り方向と交差する状態で固定され、第１アーム部１８ｂは光軸ＡＸ回り方向に沿って延出し、開放端側における屈曲部１８ｆの角度θ３はコイル部１８ａ側における屈曲部１８ｆの角度θ２よりも小さい。したがって、凸状部２２ｈの操作方向による節度感の相違が抑制される。
【００５９】
なお、この実施例では、係合部２２ｉをレンズユニット１６ａと係合させるようにしているが、レンズユニット１６ａの回転を禁止する一方で受光ユニット１６ｂの回転を許可するときは、係合部２２ｉは受光ユニット１６ｂと係合させる必要がある。
【００６０】
また、この実施例では、カメラ付携帯通信端末を用いて説明しているが、螺合状態を切り換えるあらゆる装置にこの発明を適用できることは言うまでもない。
【図面の簡単な説明】
【００６１】
【図１】この実施例のカメラ付携帯通信端末の一部を示す分解斜視図である。
【図２】（Ａ）は図１実施例に適用される撮像装置の一例を示す斜視図であり、（Ｂ）は（Ａ）に示す撮像装置の分解斜視図である。
【図３】（Ａ）は図２（Ａ）に示す撮像装置の焦点切換動作の一例を示す図解図であり、（Ｂ）は図２（Ａ）に示す撮像装置の焦点切換動作の他の一例を示す図解図である。
【図４】（Ａ）は図１実施例に適用されるトーションばねの一例を示す斜視図であり、（Ｂ）は（Ａ）に示すトーションばねを示す側面図である。
【図５】図１実施例に適用されるホルダ部材の一例を示す斜視図である。
【図６】図１実施例に適用される下側ケースの一例を示す斜視図である。
【図７】（Ａ）は図１実施例の組み立て工程の一部を示す図解図であり、（Ｂ）は図１実施例の組み立て工程の他の一部を示す図解図である。
【図８】図１実施例の組み立て工程のその他の一部を示す図解図である。
【図９】（Ａ）は図１実施例に適用される操作リングを示す上側斜視図であり、（Ｂ）は図１実施例に適用される操作リングを示す下側斜視図であり、（Ｃ）は図１実施例に適用される操作リングを示す上面図である。
【図１０】図１実施例に適用される上側ケースの一部を示す部分拡大図である。
【図１１】（Ａ）は操作リングとトーションばねとの位置関係の一例を示す図解図であり、（Ｂ）は操作リングとトーションばねとの位置関係の他の一例を示す図解図であり、（Ｃ）は操作リングとトーションばねとの位置関係のその他の一例を示す図解図である。
【符号の説明】
【００６２】
１０  …カメラ付携帯通信端末  
１２  …下側ケース
１４  …ホルダ部材
１６  …撮像装置
１８  …トーションばね
２０  …上側ケース
２２  …操作リング
【図１】
2007316279.tif 000003
【図２】
2007316279.tif 000004
【図３】
2007316279.tif 000005
【図４】
2007316279.tif 000006
【図５】
2007316279.tif 000007
【図６】
2007316279.tif 000008
【図７】
2007316279.tif 000009
【図８】
2007316279.tif 000010
【図９】
2007316279.tif 000011
【図１０】
2007316279.tif 000012
【図１１】
2007316279.tif 000013